(57)【要約】【課題】流通過程における自動車の検査において、検査結果の入手及び比較を容易に行うことを可能とする。【解決手段】検査情報管理装置１は、自動車に関する第１の場所における第１の検査結果情報と、第１の検査結果情報と同一の項目を含む第２の場所における第２の検査結果情報とを取得する検査結果取得部１４、第１及び第２の検査結果情報における相違を示す情報が差分情報を生成する差分情報生成部１６及び差分情報を出力する差分情報出力部１７を備える。これにより、第１及び第２に場所における自動車の検査結果を容易に入手できると共に、検査結果の比較を容易に行うことが可能となる。【選択図】図５
2013142925.tif 000002
【特許請求の範囲】
【請求項１】
自動車の流通過程において自動車に対して実施される検査の検査情報を管理する検査情報管理装置であって、
前記自動車に関する複数の項目の検査結果を記憶する検査情報記憶手段と、
流通過程の第１の場所における自動車に関する複数の項目の検査の結果を示す第１の検査結果情報を取得し、前記検査情報記憶手段に記憶させる第１検査結果取得手段と、
前記第１の場所とは異なる第２の場所における前記自動車に関する複数の項目の検査の結果を示す情報であって前記第１の検査結果情報と同一の項目を含む第２の検査結果情報を取得し、前記検査情報記憶手段に記憶させる第２検査結果取得手段と、
前記検査情報記憶手段に記憶された第１の検査結果情報及び第２の検査結果情報において、検査の結果が相違する項目及びその相違を示す情報を含む差分情報を生成する差分情報生成手段と、
前記差分情報生成手段により生成された差分情報を出力する差分情報出力手段と、
を備える検査情報管理装置。
【請求項２】
前記第１の場所において実施される複数の検査項目に関する第１の検査項目情報を送信する第１検査項目送信手段と、
前記第２の場所において実施される複数の検査項目に関する情報であって前記第１の検査項目情報と同一の検査項目を含む第２の検査項目情報を送信する第２検査項目送信手段と、を更に備え、
前記第１検査結果取得手段は、前記第１検査項目送信手段により送信された第１の検査項目情報に応じて実施された検査の結果を示す第１の検査結果情報を取得し、
前記第２検査結果取得手段は、前記第２検査項目送信手段により送信された第２の検査項目情報に応じて実施された検査の結果を示す第２の検査結果情報を取得する、
請求項１に記載の検査情報管理装置。
【請求項３】
前記第１の検査結果情報及び第２の検査結果情報は、前記自動車の装備の有無に関する情報を含む、
請求項１または２に記載の検査情報管理装置。
【請求項４】
前記第１の検査結果情報及び第２の検査結果情報は、前記自動車の外観の状態に関する情報を含む、
請求項１〜３のいずれか１項に記載の検査情報管理装置。
【請求項５】
自動車の流通過程において自動車に対して実施される検査の検査情報を管理する検査情報管理装置、第１の端末、第２の端末及び出力端末を含む検査情報管理システムであって、
前記第１の端末は、
当該第１の端末において入力された情報であって流通過程の第１の場所における自動車に関する複数の項目の検査の結果を示す第１の検査結果情報を送信する第１検査結果送信手段を備え、
前記第２の端末は、
当該第２の端末において入力された情報であって、前記第１の場所とは異なる第２の場所における前記自動車に関する複数の項目の検査の結果を示し前記第１の検査結果情報と同一の項目を含む第２の検査結果情報を送信する第２検査結果送信手段を備え、
前記検査情報管理装置は、
前記自動車に関する複数の項目の検査結果を記憶する検査情報記憶手段と、
前記第１の端末の前記第１検査結果送信手段により送信された前記第１の検査結果情報を取得し、前記検査情報記憶手段に記憶させる第１検査結果取得手段と、
前記第２の端末の前記第２検査結果送信手段により送信された前記第２の検査結果情報を取得し、前記検査情報記憶手段に記憶させる第２検査結果取得手段と、
前記検査情報記憶手段に記憶された第１の検査結果情報及び第２の検査結果情報において、検査の結果が相違する項目及びその相違を示す情報を含む差分情報を生成する差分情報生成手段と、
前記差分情報生成手段により生成された差分情報を前記出力端末に出力する差分情報出力手段と、を備え、
前記出力端末は、
前記検査情報管理装置の前記差分情報出力手段により出力された前記差分情報を取得する差分情報取得手段と、
前記差分情報取得手段により取得された前記差分情報を提示する差分情報提示手段と、を備える、
検査情報管理システム。
【請求項６】
前記検査情報管理装置は、
前記第１の場所において実施される複数の検査項目に関する第１の検査項目情報を送信する第１検査項目送信手段と、
前記第２の場所において実施される複数の検査項目に関する情報であって前記第１の検査項目情報と同一の検査項目を含む第２の検査項目情報を送信する第２検査項目送信手段と、を更に備え、
前記第１の端末は、
前記第１検査項目送信手段により送信された第１の検査項目情報を取得する第１検査項目取得手段と、
前記第１検査項目取得手段により取得された第１の検査項目情報を記憶する第１検査項目蓄積手段と、
前記第１検査項目蓄積手段により記憶された第１の検査項目情報を提示する第１検査項目提示手段と、
前記第１検査項目提示手段により提示された第１の検査項目情報に応じて入力された前記第１の検査結果情報を受け付ける第１検査結果受付手段と、
前記第１検査結果受付手段により受け付けられた前記第１の検査結果情報を記憶する第１検査結果蓄積手段と、を備え、
前記第１検査結果送信手段は、前記第１検査結果蓄積手段により記憶された前記第１の検査結果情報を前記検査情報管理装置に送信し、
前記第２の端末は、
前記第２検査項目送信手段により送信された第２の検査項目情報を取得する第２検査項目取得手段と、
前記第２検査項目取得手段により取得された第２の検査項目情報を記憶する第２検査項目蓄積手段と、
前記第２検査項目蓄積手段により記憶された第２の検査項目情報を提示する第２検査項目提示手段と、
前記第２検査項目提示手段により提示された第２の検査項目情報に応じて入力された前記第２の検査結果情報を受け付ける第２検査結果受付手段と、
前記第２検査結果受付手段により受け付けられた前記第２の検査結果情報を記憶する第２検査結果蓄積手段と、を備え、
前記第２検査結果送信手段は、前記第１検査結果蓄積手段により記憶された前記第１の検査結果情報を前記検査情報管理装置に送信する、
請求項５に記載の検査情報管理システム。
【請求項７】
前記第１検査結果受付手段は、当該自動車を識別する識別情報を表し前記自動車に貼付された印刷媒体から前記第１の場所において取得された前記識別情報を前記第１の検査結果情報に含ませ、
前記第２検査結果受付手段は、前記第２の場所において前記印刷媒体から取得された前記識別情報を前記第２の検査結果情報に含ませ、
前記第１検査結果取得手段は、前記第１の検査結果情報を前記識別情報に対応付けて前記検査情報記憶手段に記憶させ、
前記第２検査結果取得手段は、前記第２の検査結果情報を前記識別情報に対応付けて前記検査情報記憶手段に記憶させる、
請求項６に記載の検査情報管理システム。
【請求項８】
前記第１の検査項目情報及び前記第２の検査項目情報は、前記自動車の外観の状態に関する検査項目を含み、
前記第１検査項目提示手段は、前記自動車の外観の状態を入力させるための自動車の画像を提示し、
前記第１検査結果受付手段は、前記第１検査項目提示手段により提示された前記自動車の画像上に入力された外観の状態に関する情報を前記第１の検査結果情報として受け付け、
前記第２検査項目提示手段は、前記自動車の外観の状態を入力させるための自動車の画像を提示し、
前記第２検査結果受付手段は、前記第２検査項目提示手段により提示された前記自動車の画像上に入力された外観の状態に関する情報を前記第２の検査結果情報として受け付け、
前記差分情報提示手段は、前記自動車の外観に関する前記差分情報を、自動車の画像上に表す、
請求項６または７に記載の検査情報管理システム。
【請求項９】
自動車の流通過程において自動車に対して実施される検査の検査情報を管理する検査情報管理装置、第１の端末、第２の端末及び出力端末を含む検査情報管理システムにおける検査情報管理方法であって、
前記第１の端末が、当該第１の端末において入力された情報であって流通過程の第１の場所における自動車に関する複数の項目の検査結果を示す第１の検査結果情報を送信する第１検査結果送信ステップと、
前記検査情報管理装置が、前記第１検査結果送信ステップにおいて送信された前記第１の検査結果情報を取得し、前記検査結果を記憶する検査情報記憶手段に記憶させる第１検査結果取得ステップと、
前記第２の端末が、当該第２の端末において入力された情報であって、前記第１の場所とは異なる第２の場所における前記自動車に関する複数の項目の検査の結果を示し前記第１の検査結果情報と同一の項目を含む第２の検査結果情報を送信する第２検査結果送信ステップと、
前記検査情報管理装置が、前記第２検査結果送信ステップにおいて送信された前記第２の検査結果情報を取得し、前記検査情報記憶手段に記憶させる第２検査結果取得ステップと、
前記検査情報管理装置が、前記検査情報記憶手段に記憶された第１の検査結果情報及び第２の検査結果情報において、検査の結果が相違する項目及びその相違を示す情報を含む差分情報を生成する差分情報生成ステップと、
前記検査情報管理装置が、前記差分情報生成ステップにおいて生成された差分情報を前記出力端末に出力する差分情報出力ステップと、
前記出力端末が、前記差分情報出力ステップにおいて出力された前記差分情報を取得する差分情報取得ステップと、
前記出力端末が、前記差分情報取得ステップにおいて取得された前記差分情報を提示する差分情報提示ステップと、
を有する検査情報管理方法。
【請求項１０】
自動車の流通過程において自動車に対して実施される検査の検査情報を管理する検査情報管理装置に前記検査情報を送信する端末であって、
前記検査情報管理装置から送信された情報であって前記自動車に対して実施される複数の検査項目に関する検査項目情報を取得する検査項目取得手段と、
前記検査項目取得手段により取得された前記検査項目情報を記憶する検査項目蓄積手段と、
前記検査項目蓄積手段により記憶された前記検査項目情報を提示する検査項目提示手段と、
前記検査項目提示手段により提示された前記検査項目情報に応じて入力された情報であって自動車に関する複数の項目の検査の結果を示す検査結果情報を受け付ける検査結果受付手段と、
前記検査結果受付手段により受け付けられた前記検査結果情報を記憶する検査結果蓄積手段と、
前記検査結果蓄積手段により記憶された前記検査結果情報を前記検査情報管理装置に送信する検査結果送信手段と、
を備える端末。
【請求項１１】
コンピュータを、自動車の流通過程において自動車に対して実施される検査の検査情報を管理する検査情報管理装置に前記検査情報を送信する端末として機能させるための検査情報送信プログラムであって、
前記コンピュータに、
前記検査情報管理装置から送信された情報であって前記自動車に対して実施される複数の検査項目に関する検査項目情報を取得する検査項目取得機能と、
前記検査項目取得機能により取得された前記検査項目情報を記憶する検査項目蓄積機能と、
前記検査項目蓄積機能により記憶された前記検査項目情報を提示する検査項目提示機能と、
前記検査項目提示機能により提示された前記検査項目情報に応じて入力された情報であって自動車に関する複数の項目の検査の結果を示す検査結果情報を受け付ける検査結果受付機能と、
前記検査結果受付機能により受け付けられた前記検査結果情報を記憶する検査結果蓄積機能と、
前記検査結果蓄積機能により記憶された前記検査結果情報を前記検査情報管理装置に送信する検査結果送信機能と、
を実現させる検査情報送信プログラム。
【発明の詳細な説明】
【技術分野】
【０００１】
本発明は、検査情報管理装置、検査情報管理システム、検査情報管理方法、端末及び検査情報送信プログラムに関する。
【背景技術】
【０００２】
自動車の流通、特に中古車の輸出入に際して、自動車を運搬する船会社は、積み荷である自動車を船積してから船降するまでの間において、その積み荷に対しての責任を負う。従って、船会社は、船積時及び船降時において自動車に対する検査を実施する。この検査は、例えば、内装及び外装における装備品に有無及び外観の状態に関する検査項目を含む。この検査は、各発着港において実施されるので、船積時の検査と船降時の検査とは異なる場所で行われる。また、それぞれの検査が異なる検査会社によって実施される場合も多い。また、各発着港における乙仲業者も、運送対象の自動車を受け入れてから払い出すまでの間において責任を負うので、船会社と同様に受け入れ時、払い出し時において自動車に対して検査を実施する。
【０００３】
このような流通の過程において、例えば、装着されているはずの装備品が失われていたり、外観に傷があったりといった問題が発生した場合には、各段階で実施された検査結果を必要に応じて取り寄せて、流通過程のどの段階において問題が発生したのかを調査することとなる。
【０００４】
なお、このような流通過程における検査結果を管理する技術として、商品の供給プロセスの全般に亘る管理履歴を蓄積し、蓄積した履歴を提供する技術が知られている（例えば、特許文献１参照）。
【先行技術文献】
【特許文献】
【０００５】
【特許文献１】特開２００４−３４８３９１号公報
【発明の概要】
【発明が解決しようとする課題】
【０００６】
従来において、流通過程における自動車の検査は、各発着港において異なる検査会社により行われていたので、それぞれ検査項目及び検査方法が異なり、検査結果の比較が困難であった。また、検査結果が紙媒体により蓄積されていたため、問題が発覚した場所において検査結果を取得する手間が煩雑であった。
【０００７】
そこで本発明は、流通過程における自動車の検査において、検査結果の入手及び比較を容易に行うことが可能な検査情報管理装置、検査情報管理システム、検査情報管理方法、端末及び検査情報送信プログラムを提供することを目的とする。
【課題を解決するための手段】
【０００８】
上記課題を解決するために、本発明の検査情報管理装置は、自動車の流通過程において自動車に対して実施される検査の検査情報を管理する検査情報管理装置であって、自動車に関する複数の項目の検査結果を記憶する検査情報記憶手段と、流通過程の第１の場所における自動車に関する複数の項目の検査の結果を示す第１の検査結果情報を取得し、検査情報記憶手段に記憶させる第１検査結果取得手段と、第１の場所とは異なる第２の場所における自動車に関する複数の項目の検査の結果を示す情報であって第１の検査結果情報と同一の項目を含む第２の検査結果情報を取得し、検査情報記憶手段に記憶させる第２検査結果取得手段と、検査情報記憶手段に記憶された第１の検査結果情報及び第２の検査結果情報において、検査の結果が相違する項目及びその相違を示す情報を含む差分情報を生成する差分情報生成手段と、差分情報生成手段により生成された差分情報を出力する差分情報出力手段と、を備える。
【０００９】
上記課題を解決するために、本発明の検査情報管理システムは、自動車の流通過程において自動車に対して実施される検査の検査情報を管理する検査情報管理装置、第１の端末、第２の端末及び出力端末を含む検査情報管理システムであって、第１の端末は、当該第１の端末において入力された情報であって流通過程の第１の場所における自動車に関する複数の項目の検査の結果を示す第１の検査結果情報を送信する第１検査結果送信手段を備え、第２の端末は、当該第２の端末において入力された情報であって、第１の場所とは異なる第２の場所における自動車に関する複数の項目の検査の結果を示し第１の検査結果情報と同一の項目を含む第２の検査結果情報を送信する第２検査結果送信手段を備え、検査情報管理装置は、自動車に関する複数の項目の検査結果を記憶する検査情報記憶手段と、第１の端末の第１検査結果送信手段により送信された第１の検査結果情報を取得し、検査情報記憶手段に記憶させる第１検査結果取得手段と、第２の端末の第２検査結果送信手段により送信された第２の検査結果情報を取得し、検査情報記憶手段に記憶させる第２検査結果取得手段と、検査情報記憶手段に記憶された第１の検査結果情報及び第２の検査結果情報において、検査の結果が相違する項目及びその相違を示す情報を含む差分情報を生成する差分情報生成手段と、差分情報生成手段により生成された差分情報を出力端末に出力する差分情報出力手段と、を備え、出力端末は、検査情報管理装置の差分情報出力手段により出力された差分情報を取得する差分情報取得手段と、差分情報取得手段により取得された差分情報を提示する差分情報提示手段と、を備える。
【００１０】
上記課題を解決するために、本発明の検査情報管理方法は、自動車の流通過程において自動車に対して実施される検査の検査情報を管理する検査情報管理装置、第１の端末、第２の端末及び出力端末を含む検査情報管理システムにおける検査情報管理方法であって、第１の端末が、当該第１の端末において入力された情報であって流通過程の第１の場所における自動車に関する複数の項目の検査結果を示す第１の検査結果情報を送信する第１検査結果送信ステップと、検査情報管理装置が、第１検査結果送信ステップにおいて送信された第１の検査結果情報を取得し、検査結果を記憶する検査情報記憶手段に記憶させる第１検査結果取得ステップと、第２の端末が、当該第２の端末において入力された情報であって、第１の場所とは異なる第２の場所における自動車に関する複数の項目の検査の結果を示し第１の検査結果情報と同一の項目を含む第２の検査結果情報を送信する第２検査結果送信ステップと、検査情報管理装置が、第２検査結果送信ステップにおいて送信された第２の検査結果情報を取得し、検査情報記憶手段に記憶させる第２検査結果取得ステップと、検査情報管理装置が、検査情報記憶手段に記憶された第１の検査結果情報及び第２の検査結果情報において、検査の結果が相違する項目及びその相違を示す情報を含む差分情報を生成する差分情報生成ステップと、検査情報管理装置が、差分情報生成ステップにおいて生成された差分情報を出力端末に出力する差分情報出力ステップと、出力端末が、差分情報出力ステップにおいて出力された差分情報を取得する差分情報取得ステップと、出力端末が、差分情報取得ステップにおいて取得された差分情報を提示する差分情報提示ステップと、を有する。
【００１１】
本発明によれば、自動車に関する第１の場所における第１の検査結果情報と、第１の検査結果情報と同一の項目を含む第２の場所における第２の検査結果情報とが取得され、第１及び第２の検査結果情報における相違を示す情報が差分情報として出力される。これにより、第１及び第２に場所における自動車の検査結果を容易に入手できると共に、検査結果の比較を容易に行うことが可能となる。
【００１２】
上記課題を解決するために、本発明の端末は、自動車の流通過程において自動車に対して実施される検査の検査情報を管理する検査情報管理装置に検査情報を送信する端末であって、検査情報管理装置から送信された情報であって自動車に対して実施される複数の検査項目に関する検査項目情報を取得する検査項目取得手段と、検査項目取得手段により取得された検査項目情報を記憶する検査項目蓄積手段と、検査項目蓄積手段により記憶された検査項目情報を提示する検査項目提示手段と、検査項目提示手段により提示された検査項目情報に応じて入力された情報であって自動車に関する複数の項目の検査の結果を示す検査結果情報を受け付ける検査結果受付手段と、検査結果受付手段により受け付けられた検査結果情報を記憶する検査結果蓄積手段と、検査結果蓄積手段により記憶された検査結果情報を検査情報管理装置に送信する検査結果送信手段と、を備える。
【００１３】
上記課題を解決するために、本発明の検査情報送信プログラムは、コンピュータを、自動車の流通過程において自動車に対して実施される検査の検査情報を管理する検査情報管理装置に検査情報を送信する装置として機能させるための検査情報送信プログラムであって、コンピュータに、検査情報管理装置から送信された情報であって自動車に対して実施される複数の検査項目に関する検査項目情報を取得する検査項目取得機能と、検査項目取得機能により取得された検査項目情報を記憶する検査項目蓄積機能と、検査項目蓄積機能により記憶された検査項目情報を提示する検査項目提示機能と、検査項目提示機能により提示された検査項目情報に応じて入力された情報であって自動車に関する複数の項目の検査の結果を示す検査結果情報を受け付ける検査結果受付機能と、検査結果受付機能により受け付けられた検査結果情報を記憶する検査結果蓄積機能と、検査結果蓄積機能により記憶された検査結果情報を検査情報管理装置に送信する検査結果送信機能と、を実現させる。
【００１４】
上記端末及び検査情報送信プログラムによれば、検査結果情報が検査情報管理装置に送信されるので、検査情報管理装置に検査結果を集約できる。また、検査情報管理装置から取得した検査項目情報を端末に蓄積できるので、端末が検査情報管理装置と通信不可能な状態にあっても、蓄積した検査項目情報に基づき検査を実施できる。さらに、受け付けられた検査結果情報を端末に蓄積できるので、端末が検査情報管理装置と通信不可能な状態において実施した検査の結果を、後に検査情報管理装置に送信できる。
【００１５】
本発明の検査情報管理装置は、第１の場所において実施される複数の検査項目に関する第１の検査項目情報を送信する第１検査項目送信手段と、第２の場所において実施される複数の検査項目に関する情報であって第１の検査項目情報と同一の検査項目を含む第２の検査項目情報を送信する第２検査項目送信手段と、を更に備え、第１検査結果取得手段は、第１検査項目送信手段により送信された第１の検査項目情報に応じて実施された検査の結果を示す第１の検査結果情報を取得し、第２検査結果取得手段は、第２検査項目送信手段により送信された第２の検査項目情報に応じて実施された検査の結果を示す第２の検査結果情報を取得してもよい。
【００１６】
本発明の検査情報管理システムでは、検査情報管理装置は、第１の場所において実施される複数の検査項目に関する第１の検査項目情報を送信する第１検査項目送信手段と、第２の場所において実施される複数の検査項目に関する情報であって第１の検査項目情報と同一の検査項目を含む第２の検査項目情報を送信する第２検査項目送信手段と、を更に備え、第１の端末は、第１検査項目送信手段により送信された第１の検査項目情報を取得する第１検査項目取得手段と、第１検査項目取得手段により取得された第１の検査項目情報を記憶する第１検査項目蓄積手段と、第１検査項目蓄積手段により記憶された第１の検査項目情報を提示する第１検査項目提示手段と、第１検査項目提示手段により提示された第１の検査項目情報に応じて入力された第１の検査結果情報を受け付ける第１検査結果受付手段と、第１検査結果受付手段により受け付けられた第１の検査結果情報を記憶する第１検査結果蓄積手段と、を備え、第１検査結果送信手段は、第１検査結果蓄積手段により記憶された第１の検査結果情報を検査情報管理装置に送信し、第２の端末は、第２検査項目送信手段により送信された第２の検査項目情報を取得する第２検査項目取得手段と、第２検査項目取得手段により取得された第２の検査項目情報を記憶する第２検査項目蓄積手段と、第２検査項目蓄積手段により記憶された第２の検査項目情報を提示する第２検査項目提示手段と、第２検査項目提示手段により提示された第２の検査項目情報に応じて入力された第２の検査結果情報を受け付ける第２検査結果受付手段と、第２検査結果受付手段により受け付けられた第２の検査結果情報を記憶する第２検査結果蓄積手段と、を備え、第２検査結果送信手段は、第１検査結果蓄積手段により記憶された第１の検査結果情報を検査情報管理装置に送信してもよい。
【００１７】
この検査情報管理装置及び検査情報管理システムでは、第１及び第２の検査項目情報がそれぞれ送信されるので、第１及び第２の場所のそれぞれにおいて検査項目情報に基づく検査を実施できる。また、第１及び第２の検査項目情報は同一の検査項目を含むので、第１及び第２の場所において同一の内容の検査を実施できる。
【００１８】
また、本発明の検査情報管理装置では、第１の検査結果情報及び第２の検査結果情報は、自動車の装備の有無に関する情報を含むこととしてもよい。これにより、自動車の装備の有無に関する検査結果を取得できる。
【００１９】
本発明の検査情報管理装置では、第１の検査結果情報及び第２の検査結果情報は、自動車の外観の状態に関する情報を含むこととしてもよい。これにより、自動車の外観の状態に関する検査結果を取得できる。
【００２０】
本発明の検査情報管理システムでは、第１検査結果受付手段は、当該自動車を識別する識別情報を表し自動車に貼付された印刷媒体から第１の場所において取得された識別情報を第１の検査結果情報に含ませ、第２検査結果受付手段は、第２の場所において印刷媒体から取得された識別情報を第２の検査結果情報に含ませ、第１検査結果取得手段は、第１の検査結果情報を識別情報に対応付けて検査情報記憶手段に記憶させ、第２検査結果取得手段は、第２の検査結果情報を識別情報に対応付けて検査情報記憶手段に記憶させてもよい。
【００２１】
この場合には、第１の場所において取得された第１の検査結果情報は、識別情報により識別可能に蓄積され、第２の場所において取得された第２の検査結果情報も、識別情報により識別可能に蓄積されるので、第１の場所における検査結果と第２の場所における検査結果との対応付けが容易となる。
【００２２】
本発明の検査情報管理システムでは、第１の検査項目情報及び第２の検査項目情報は、自動車の外観の状態に関する検査項目を含み、第１検査項目提示手段は、自動車の外観の状態を入力させるための自動車の画像を提示し、第１検査結果受付手段は、第１検査項目提示手段により提示された自動車の画像上に入力された外観の状態に関する情報を第１の検査結果情報として受け付け、第２検査項目提示手段は、自動車の外観の状態を入力させるための自動車の画像を提示し、第２検査結果受付手段は、第２検査項目提示手段により提示された自動車の画像上に入力された外観の状態に関する情報を第２の検査結果情報として受け付け、差分情報提示手段は、自動車の外観に関する差分情報を、自動車の画像上に表すこととしてもよい。
【００２３】
この場合には、提示された自動車の画像上に外観の状態に関する情報を入力できるので、外観の状態に関する検査結果の入力が容易となる。また、自動車の画像上に自動車の外観に関する差分情報が提示されるので、外観に関する差分情報の視認が容易となる。
【発明の効果】
【００２４】
本発明によれば、流通過程における自動車の検査において、検査結果の入手及び比較を容易に行うことが可能となる。
【図面の簡単な説明】
【００２５】
【図１】自動車の流通過程を示す概略図である。
【図２】検査情報管理システムの装置構成を示す図である。
【図３】注文入力端末を構成する端末の機能構成を示すブロック図である。
【図４】注文登録画面の例を示す図である。
【図５】検査情報管理装置の機能構成を示すブロック図である。
【図６】検査情報管理装置のハードウェア構成を示す図である。
【図７】検査情報記憶部の構成の例を示す図である。
【図８】入力端末を構成する端末の機能構成を示すブロック図である。
【図９】検査項目提示部により提示される検査項目の例を示す図である。
【図１０】出力端末を構成する端末の機能構成を示すブロック図である。
【図１１】差分情報提示部により提示される差分情報の表示例を示す図である。
【図１２】検査情報管理システムにおける検査情報管理方法の処理内容を示すフローチャートである。
【図１３】検査情報送信プログラムの構成を示す図である。
【発明を実施するための形態】
【００２６】
以下、添付図面を参照しながら本発明の実施形態を詳細に説明する。なお、図面の説明において同一又は同等の要素には同一の符号を付し、重複する説明を省略する。
【００２７】
図１は、自動車の流通過程を示す概略図である。図１に示すように、一般に中古車等の自動車は、例えば、輸出業者Ｓから、乙仲業者Ｔ及び船会社Ａを介して、買い手Ｃに対して輸出される。ここで、乙仲業者Ｔは、自動車の入庫ＴＩから出庫ＴＯまでの間において、運送対象の自動車に対して責任を負う。従って、乙仲業者Ｔは、入庫時及び出庫時において、自動車に対して装備品の有無や外観の状態に関する検査を行なう。
【００２８】
また、船会社Ａは、自動車の船積ＡＩから船降ＡＯまでの間において、運送対象の自動車に対して責任を負う。従って、船会社Ａは、船積時及び船降時において、自動車に対して装備品の有無や外観の状態に関する検査を行なう。以下の説明では、船会社Ａによる船積時及び船降時の検査を例示して説明する。
【００２９】
図２は、本実施形態に係る検査情報管理システム１００の装置構成を示すブロック図である。検査情報管理システム１００は、検査情報管理装置１及び端末３，５，７を含む。本実施形態の検査情報管理装置１は、自動車の流通過程において自動車に対して実施される検査の検査情報を管理する装置であって、例えば、サーバといったコンピュータにより構成される。
【００３０】
端末３は、注文入力端末を構成する。注文入力端末は、検査の実施に関する指示入力を受け付けて、受け付けた指示内容を注文情報として検査情報管理装置１に出力する。注文情報は、例えば、船積時及び船降時において検査を実施する旨の指示、検査内容及び検査対象の自動車の識別情報等を含むことができる。
【００３１】
端末５は、自動車の流通過程において自動車に対して実施された検査の検査結果情報を検査情報管理装置１に送信する端末であって、船積時入力端末及び船降時入力端末を構成する。
【００３２】
端末７は、検査情報管理装置１から出力された検査結果を提示するための端末であって、本実施形態では、自動車が船積された場所（第１の場所）において実施された検査結果と、船降された場所（第２の場所）において実施された検査結果との差分情報を提示する。
【００３３】
端末３，５，７は、例えば、携帯端末及びパーソナルコンピュータ等により構成されることができる。特に、端末５は、可搬性に優れた携帯端末により構成されることが好ましい。なお、図２において、端末３，５，７は、それぞれ別個の装置として示されているが、同一の装置により構成されてもよい。検査情報管理装置１及び端末３，５，７は、インターネットや無線ＬＡＮ、移動体通信網などで構成されている通信ネットワークを介して互いに通信することが可能である。続いて、図２に示した各装置の機能を詳細に説明する。
【００３４】
図３は、注文入力端末を構成する端末３の機能的構成を示すブロック図である。図３に示すように、端末３は、注文入力受付部３１及び注文指示送信部３２を備える。
【００３５】
注文入力受付部３１は、検査の実施に関する注文入力を受け付ける部分である。具体的には、注文入力受付部３１は、注文入力を受け付けるための注文登録画面をユーザに対して表示し、その画面に対する入力を受け付ける。図４は、注文登録画面の例を示す図である。図４に示すように、第１の注文入力領域Ｏ１、第２の注文入力領域Ｏ２及び第３の注文入力領域Ｏ３を含む。第１の注文入力領域Ｏ１は、注文主に関する情報を入力する領域であって、例えば会社名等が入力される。第２の注文入力領域Ｏ２は、検査対象の車両に関する詳細情報を入力する領域であって、例えば、車台番号、車種に関する情報、船積港及び船降港等が入力される。第３の注文入力領域Ｏ３は、検査の内容に関する検査詳細を入力する領域であって、実施させる検査項目に関する情報が入力される。
【００３６】
注文指示送信部３２は、注文入力受付部３１により受け付けられた注文内容を注文指示情報として検査情報管理装置１に送信する部分である。
【００３７】
図５は、検査情報管理装置１の機能的構成を示すブロック図である。図５に示すように、検査情報管理装置１は、機能的には、注文指示取得部１１、検査項目記憶部１２、検査項目送信部１３（第１検査項目送信手段、第２検査項目送信手段）、検査結果取得部１４（第１検査結果取得手段、第２検査結果取得手段）、検査情報記憶部１５（検査情報記憶手段）、差分情報生成部１６（差分情報生成手段）及び差分情報出力部１７（差分情報出力手段）を備える。なお、本実施形態では、各機能部１１〜１７が１つの装置に構成されることとしているが、各機能部１１〜１７がそれぞれ互いに通信可能な別の装置に備えられることとしてもよい。
【００３８】
図６は、検査情報管理装置１のハードウェア構成図である。検査情報管理装置１は、物理的には、図６に示すように、ＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００３９】
図５に示した各機能は、図６に示すＣＰＵ１０１、主記憶装置１０２等のハードウェア上に所定のコンピュータソフトウェアを読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。なお、端末３，５，７も、図６に示したようなハードウェア構成を有するコンピュータシステムとして構成される。ここで再び図５を参照して、検査情報管理装置１の各機能部を説明する。
【００４０】
注文指示取得部１１は、端末３から送信された注文指示情報を取得する部分である。注文指示取得部１１は、取得した注文指示情報を検査項目送信部１３に送出する。
【００４１】
検査項目記憶部１２は、自動車に対して実施される検査項目に関する検査項目情報を予め記憶している部分である。検査項目情報は、自動車の装備の有無に関する検査項目情報及び自動車の外観の状態に関する検査項目情報を含む。また、検査項目情報は、端末５においてそれぞれの検査の実施及び検査結果の入力をさせるために端末５に表示させるテキスト及び画像を含む。
【００４２】
検査項目送信部１３は、注文指示取得部１１からの注文指示情報に応じて検査項目情報を端末５に送信する部分である。具体的には、検査項目送信部１３は、自動車を船積する場所（第１の場所）において実施される複数の検査項目に関する検査項目情報（第１の検査項目情報）を、船積時入力端末を構成する端末５に送信する。また、検査項目送信部１３は、自動車を船降する場所（第２の場所）において実施される複数の検査項目に関する検査項目情報（第２の検査項目情報）を、船降時入力端末を構成する端末５に送信する。第２の検査項目情報は、第１の検査項目情報と同一の検査項目を含む。
【００４３】
検査結果取得部１４は、流通過程における自動車に関する複数の項目の検査結果を示す検査結果情報を取得する部分である。具体的には、検査結果取得部１４は、自動車を船積する場所（第１の場所）において実施された複数の検査結果を示す検査結果情報（第１の検査結果情報）を、船積時入力端末を構成する端末５から取得し、検査情報記憶部１５に記憶させる。また、検査結果取得部１４は、自動車を船降する場所（第２の場所）において実施された複数の検査結果を示す検査結果情報（第２の検査結果情報）を、船降時入力端末を構成する端末５から取得し、検査情報記憶部１５に記憶させる。
【００４４】
検査情報記憶部１５は、自動車を船積する場所及び自動車を船降する場所において実施された複数の検査の検査結果情報を記憶する部分である。図７は、検査情報記憶部１５の構成の例を示す図である。図７に示す例では、検査情報記憶部１５は、検査対象の自動車を識別する車台番号やＱＲコード（登録商標）から取得された識別情報Ｄ１に対応付けて、船積時の検査結果情報Ｄ３、船降時の検査結果情報Ｄ４を記憶する。また、図７に示す検査情報記憶部１５は、船積時及び船降時に実施する検査項目に関する情報を検査対象Ｄ２として記憶している。また、検査情報記憶部１５は、検査対象の自動車に関する車名、走行距離等の他、その他の必要な情報を併せて記憶している。識別情報Ｄ１は、検査実施時に自動車に貼付されたＱＲコード（登録商標）（印刷媒体）から取得され、検査結果情報と併せて端末５から検査情報管理装置１に送信される。
【００４５】
差分情報生成部１６は、検査情報記憶部１５に記憶された船積及び船降の場所において実施された検査の検査結果情報において、検査の結果が相違する項目及びその相違を示す情報を含む差分情報を生成する部分である。差分情報生成部１６は、生成した差分情報を差分情報出力部１７に送出する。
【００４６】
差分情報出力部１７は、差分情報生成部１６により送出された差分情報を、出力端末を構成する端末７に出力する部分である。なお、差分情報の内容については、後に図１１を参照して説明する。
【００４７】
次に、図８を参照して、端末５の機能を説明する。図８は、船積時及び船降時の入力端末を構成する端末５の機能的構成を示すブロック図である。図８に示すように、端末５は、機能的には、検査項目取得部５１（第１検査項目取得手段、第２検査項目取得手段）、検査項目蓄積部５２（第１検査項目蓄積手段、第２検査項目蓄積手段）、検査項目提示部５３（第１検査項目提示手段、第２検査項目提示手段）、検査結果受付部５４（第１検査結果受付手段、第２検査結果受付手段）、検査結果蓄積部５５（第１検査結果蓄積手段、第２検査結果蓄積手段）及び検査結果送信部５６（第１検査結果送信手段、第２検査結果送信手段）を備える。
【００４８】
検査項目取得部５１は、検査情報管理装置１の検査項目送信部１３により送信された検査項目情報を取得する部分である。検査項目情報は、内装及び外装における装備品の有無に関する検査項目、並びに自動車の外観の状態に関する検査項目を含む。なお、検査項目取得部５１は、検査項目情報の取得に先立って検索項目取得要求を検査情報管理装置１に送信し、それに応じて検査情報管理装置１から返信された検査項目情報を取得してもよい。
【００４９】
検査項目蓄積部５２は、検査項目取得部５１により取得された検査項目情報を記憶する部分である。このように検査項目情報が端末５に蓄積されるので、端末５が検査情報管理装置１と通信不可能な状態にあっても、蓄積した検査項目情報に基づき自動車に対する検査を実施できる。
【００５０】
検査項目提示部５３は、検査項目蓄積部５２に蓄積された検査項目情報をユーザに提示する部分である。図９は、検査項目提示部５３により提示される検査項目の例を示す図である。図９に示すように、端末５において提示される検査項目は、内装における装備品の有無を入力するための領域Ｒ１、外装における装備品の有無を入力するための領域Ｒ２及び自動車の外観の状態を入力するための領域Ｒ３を含む。例えば、領域Ｒ１及び領域Ｒ２では、チェック印を入力することにより装備品の有無に関する検査結果を入力できる。また、例えば、検査項目提示部５３がタッチパネルにより構成されている場合には、領域Ｒ３では、外観の傷の位置及び状態を、ユーザの指や専用の入力用ペン等によりグラフィカルに入力できる。
【００５１】
検査結果受付部５４は、検査項目提示部５３により提示された検査項目情報に応じて入力された検査結果情報を受け付ける部分である。検査結果情報は、内装及び外装における装備品の有無に関する検査結果、並びに自動車の外観の状態に関する検査結果を含む。
【００５２】
検査結果蓄積部５５は、検査結果受付部５４により受け付けられた検査結果情報を記憶する部分である。このように、受け付けられた検査結果情報を端末５に蓄積できるので、端末５が検査情報管理装置１と通信不可能な状態において実施した検査の結果を、後に検査情報管理装置１に送信できる。
【００５３】
検査結果送信部５６は、検査結果蓄積部５５により記憶された検査結果情報を検査情報管理装置１に送信する部分である。
【００５４】
次に、図１０を参照して、出力端末を構成する端末７の機能を説明する。図１０は、端末７の機能的構成を示すブロック図である。図１０に示すように、端末７は、機能的には、差分情報取得部７１（差分情報取得手段）及び差分情報提示部７２（差分情報提示手段）を備える。
【００５５】
差分情報取得部７１は、検査情報管理装置１の差分情報出力部１７により出力された差分情報を取得する部分である。差分情報取得部７１は、取得した差分情報を差分情報提示部７２に送出する。
【００５６】
差分情報提示部７２は、差分情報取得部７１により送出された差分情報を提示する部分である。図１１は、差分情報提示部７２により提示される差分情報の表示例を示す図である。図１１に示す例では、差分情報は、内装及び外装における装備品の有無に関する検査結果に関して、船積時と船降時との検査の結果が相違する項目を示す領域Ｅ１、及び例えば傷の有無といった自動車の外観の状態に関して、船積時と船降時との検査の結果が相違する項目を示す領域Ｅ２を含む。領域Ｅ２では、自動車を表す画像上に、傷の有無といった外観における相違部分がグラフィカルに示される。これにより、差分情報の視認性が向上される。
【００５７】
続いて、図１２を参照して、本実施形態の検査情報管理システム１００の動作について説明する。図１２は、検査情報管理システム１００における検査情報管理方法の処理内容を示すフローチャートである。
【００５８】
まず、注文入力端末を構成する端末３の注文入力受付部３１は、ユーザからの注文入力を受け付ける（Ｓ１）。そして、注文指示送信部３２は、ステップＳ１において注文入力受付部３１により受け付けられた注文内容を注文指示情報として検査情報管理装置１に送信する（Ｓ２）。
【００５９】
次に、検査情報管理装置１の注文指示取得部１１は、端末３から送信された注文指示情報を取得し、検査項目送信部１３に送出する（Ｓ３）。ここで、船積時入力端末を構成する端末５の検査項目取得部５１が検索項目取得要求を検査情報管理装置１に送信すると（Ｓ４）、検査情報管理装置１の検査項目送信部１３はその検査項目取得要求を受信する（Ｓ５）。そして、検査項目送信部１３は、検査項目取得要求に応じて検査項目情報を送信する（Ｓ６）。
【００６０】
船積時入力端末を構成する端末５の検査項目取得部５１は、ステップＳ６において検査項目送信部１３により送信された検査項目情報を取得し（Ｓ７）、検査項目蓄積部５２に記憶させる。続いて、検査項目提示部５３は検査項目情報をユーザに提示して、検査結果受付部５４は、提示された検査項目情報に応じてユーザから入力された検査結果情報を受け付け（Ｓ８）、検査結果蓄積部５５に記憶させる。そして、検査結果送信部５６が、検査結果蓄積部５５により記憶された検査結果情報を検査情報管理装置１に送信すると（Ｓ９）、検査情報管理装置１の検査結果取得部１４は、検査結果情報を取得し検査情報記憶部１５に記憶させる（Ｓ１０）。これにより、自動車を船積する場所（第１の場所）において実施された検査結果情報（第１の検査結果情報）が、検査情報管理装置１に取得される。
【００６１】
次に、船降時入力端末を構成する端末５の検査項目取得部５１が検索項目取得要求を検査情報管理装置１に送信すると（Ｓ１１）、検査情報管理装置１の検査項目送信部１３はその検査項目取得要求を受信する（Ｓ１２）。そして、検査項目送信部１３は、検査項目取得要求に応じて検査項目情報を送信する（Ｓ１３）。
【００６２】
船積時入力端末を構成する端末５の検査項目取得部５１は、ステップＳ１３において検査項目送信部１３により送信された検査項目情報を取得し（Ｓ１４）、検査項目蓄積部５２に記憶させる。続いて、検査項目提示部５３は検査項目情報をユーザに提示して、検査結果受付部５４は、提示された検査項目情報に応じてユーザから入力された検査結果情報を受け付け（Ｓ１５）、検査結果蓄積部５５に記憶させる。そして、検査結果送信部５６が、検査結果蓄積部５５により記憶された検査結果情報を検査情報管理装置１に送信すると（Ｓ１６）、検査情報管理装置１の検査結果取得部１４は、検査結果情報を取得し検査情報記憶部１５に記憶させる（Ｓ１７）。これにより、自動車を船降する場所（第２の場所）において実施された検査結果情報（第２の検査結果情報）が、検査情報管理装置１に取得される。
【００６３】
次に、差分情報生成部１６は、検査情報記憶部１５に記憶された船積及び船降の場所において実施された検査の検査結果情報において、検査の結果が相違する項目及びその相違を示す情報を含む差分情報を生成する（Ｓ１８）。そして、差分情報出力部１７は、差分情報生成部１６により生成された差分情報を、出力端末を構成する端末７に出力する（Ｓ１９）。
【００６４】
続いて、端末７の差分情報取得部７１は、ステップＳ１９において検査情報管理装置１の差分情報出力部１７により出力された差分情報を取得する（Ｓ２０）。そして、差分情報提示部７２は、差分情報取得部７１により取得された差分情報をユーザに対して提示する（Ｓ２１）。これにより、内装及び外装における装備品の有無、自動車の外観の状態といった検査結果における船積時と船降時との相違がユーザに対して提示される。
【００６５】
次に、図１３を参照して、コンピュータを船積時及び船降時の入力端末５として機能させるための検査情報送信プログラムを説明する。図１３は、図８に示した端末５に対応する検査情報送信プログラムＰ５を示す図である。
【００６６】
検査情報送信プログラムＰ５は、メインモジュールＰ５０、検査項目取得モジュールＰ５１、検査項目蓄積モジュールＰ５２、検査項目提示モジュールＰ５３、検査結果受付モジュールＰ５４、検査結果蓄積モジュールＰ５５及び検査結果送信モジュールＰ５６を備える。
【００６７】
メインモジュールＰ１０は、端末５を統括的に制御する部分である。検査項目取得モジュールＰ５１、検査項目蓄積モジュールＰ５２、検査項目提示モジュールＰ５３、検査結果受付モジュールＰ５４、検査結果蓄積モジュールＰ５５及び検査結果送信モジュールＰ５６を実行することにより実現される機能はそれぞれ、図８に示される端末５の検査項目取得部５１、検査項目蓄積部５２、検査項目提示部５３、検査結果受付部５４、検査結果蓄積部５５及び検査結果送信部５６の機能と同様である。
【００６８】
検査情報送信プログラムＰ５は、例えば、ＣＤ−ＲＯＭやＤＶＤ、ＲＯＭ等の記憶媒体５ｄまたは半導体メモリによって提供される。また、検査情報送信プログラムＰ５は、搬送波に重畳されたコンピュータデータ信号として通信ネットワークを介して提供されてもよい。
【００６９】
なお、検査情報送信プログラムＰ５は、図１３に示した各モジュールに加えて、端末７における差分情報取得部７１及び差分情報提示部７２の機能を実現するための差分情報取得モジュール及び差分情報提示モジュールを更に備えてもよい。
【００７０】
以上説明した本実施形態の検査情報管理装置１、検査情報管理システム１００、検査情報管理方法によれば、自動車に関する第１の場所における第１の検査結果情報と、第１の検査結果情報と同一の項目を含む第２の場所における第２の検査結果情報とが取得され、第１及び第２の検査結果情報における相違を示す情報が差分情報として出力される。これにより、第１及び第２に場所における自動車の検査結果を容易に入手できると共に、検査結果の比較を容易に行うことが可能となる。
【００７１】
また、本実施形態の端末５、検査情報送信プログラムＰ５によれば、検査結果情報が検査情報管理装置１に送信されるので、検査情報管理装置１に検査結果を集約できる。また、検査情報管理装置１から取得した検査項目情報を端末５に蓄積できるので、端末５が検査情報管理装置１と通信不可能な状態にあっても、蓄積した検査項目情報に基づき検査を実施できる。さらに、受け付けられた検査結果情報を端末５に蓄積できるので、端末５が検査情報管理装置１と通信不可能な状態において実施した検査の結果を、後に検査情報管理装置に送信できる。
【００７２】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００７３】
１…検査情報管理装置、３，５，７…端末、１１…注文指示取得部、１２…検査項目記憶部、１３…検査項目送信部、１４…検査結果取得部、１５…検査情報記憶部、１６…差分情報生成部、１７…差分情報出力部、３１…注文入力受付部、３２…注文指示送信部、５１…検査項目取得部、５２…検査項目蓄積部、５３…検査項目提示部、５４…検査結果受付部、５５…検査結果蓄積部、５６…検査結果送信部、７１…差分情報取得部、７２…差分情報提示部、Ｐ５…検査情報送信プログラム、Ｐ５０…メインモジュール、Ｐ５１…検査項目取得モジュール、Ｐ５２…検査項目蓄積モジュール、Ｐ５３…検査項目提示モジュール、Ｐ５４…検査結果受付モジュール、Ｐ５５…検査結果蓄積モジュール、Ｐ５６…検査結果送信モジュール。
【図１】
2013142925.tif 000003
【図２】
2013142925.tif 000004
【図３】
2013142925.tif 000005
【図４】
2013142925.tif 000006
【図５】
2013142925.tif 000007
【図６】
2013142925.tif 000008
【図７】
2013142925.tif 000009
【図８】
2013142925.tif 000010
【図９】
2013142925.tif 000011
【図１０】
2013142925.tif 000012
【図１１】
2013142925.tif 000013
【図１２】
2013142925.tif 000014
【図１３】
2013142925.tif 000015